(57)【要約】【課題】容易に可動棚の引き出しを行うことができ、作業者の負担を低減させることのできるショーケースを提供する。【解決手段】棚板２１は、固定棚３２と、固定棚３２に対して前方に引き出し可能な可動棚３５とから構成され、棚板２１には、可動棚３５を固定棚３２に対して固定するロック機構が設けられ、検出装置４０は、可動棚３５の前部下面の２箇所に配置され、各検出装置４０により同時に作業者が検出された場合にのみ、ロック機構のロックを解除する。【選択図】図３
2019136275.tif 000002
【特許請求の範囲】
【請求項１】
商品の陳列室に棚板を設置してなるショーケースにおいて、
前記棚板は、固定棚と、この固定棚に対して前方に引き出し可能な可動棚とから構成され、
前記棚板には、前記可動棚を前記固定棚に対して固定するロック機構が設けられ、
前記ロック機構は、検出装置により作業者が検出された場合に、電気的にロックを解除することを特徴とするショーケース。
【請求項２】
前記検出装置は、前記可動棚の前部下面の２箇所に配置され、
前記各検出装置により同時に検出された場合にのみ、前記ロック機構のロックを解除することを特徴とする請求項１に記載のショーケース。
【請求項３】
前記各検出装置は、接触を検出するタッチセンサにより構成され、
前記各検出装置により同時に作業者の接触を検出された場合にのみ、前記ロック機構のロックを解除することを特徴とする請求項２に記載のショーケース。
【請求項４】
前記各検出装置は、前記可動棚の前部下面に配置された照明灯より下方で、前記照明灯に干渉しない位置に配置されていることを特徴とする請求項２または請求項３に記載のショーケース。
【請求項５】
前記各検出装置は、透明材料で構成されていることを特徴とする請求項４に記載のショーケース。
【請求項６】
前記ロック機構は、固定棚に設けられ前記検出装置により検出された場合に駆動されるソレノイドと、前記ソレノイドにより回動されるロックレバーと、可動棚に設けられ前記ロックレバーによりロックされるロック部材と、から構成されていることを特徴とする請求項１から請求項５のいずれか一項に記載のショーケース。
【発明の詳細な説明】
【技術分野】
【０００１】
本発明は、ショーケースに係り、特に、前面が開口する陳列室内に商品を陳列するショーケースに関する。
【背景技術】
【０００２】
従来から、コンビニエンスストアやスーパーマーケットなどに設置されるオープンショーケースが知られている。
従来、このようなショーケースとして、棚に備えられた回動軸に回動自在に取り付けられ、前端の操作部と後端のフック部とを具備したロック部材と、ブラケット若しくはそれに取り付けられた部材に設けられ、棚が押し込まれた際にロック部材のフック部が係脱自在に係合する係合部と、フック部を常時係合部に係合する方向に付勢する板バネとを備え、棚を引き出し自在に構成した技術が開示されている（例えば、特許文献１参照）。
【先行技術文献】
【特許文献】
【０００３】
【特許文献１】特開２０００−０８３７７４号公報
【発明の概要】
【発明が解決しようとする課題】
【０００４】
しかしながら、このようなオープンショーケースでは、棚を引き出す際に、作業者が棚の両側部に設けたフック部を解除する必要があった。この場合に、棚の幅寸法が大きい場合、作業者が棚のフック部の解除操作を行う際に、手が届かないといった不都合がある。また、ばねの付勢力に抗してフック部の解除を行う必要から力が必要であり、力のない女性などには負担となってしまう。
【０００５】
本発明は前記した点に鑑みてなされたものであり、容易に可動棚の引き出しを行うことができ、作業者の負担を低減させることのできるショーケースを提供することを目的とする。
【課題を解決するための手段】
【０００６】
前記目的を達成するため、本発明は、商品の陳列室に棚板を設置してなるショーケースにおいて、前記棚板は、固定棚と、この固定棚に対して前方に引き出し可能な可動棚とから構成され、前記棚板には、前記可動棚を前記固定棚に対して固定するロック機構が設けられ、前記ロック機構は、検出装置により作業者を検出した場合に、電気的にロックを解除することを特徴とする。
【０００７】
これによれば、検出装置により作業者が検出された場合に、電気的にロック機構のロックを解除するので、作業者は、力を入れることなく、容易に可動棚の引き出しを行うことができる。
【発明の効果】
【０００８】
本発明によれば、検出装置により作業者が検出された場合に、電気的にロック機構のロックを解除するので、作業者は、力を入れることなく、容易に可動棚の引き出しを行うことができる。その結果、作業者の負担を低減させることができる。
【図面の簡単な説明】
【０００９】
【図１】本発明に係るショーケースの実施形態を示す正面図
【図２】本実施形態のショーケースの側面断面図
【図３】本実施形態の棚板部分の底面図
【図４】本実施形態の棚板部分の可動棚を収容した状態を示す側面図
【図５】本実施形態の棚板部分の可動棚を引き出した状態を示す側面図
【発明を実施するための形態】
【００１０】
第１の発明は、商品の陳列室に棚板を設置してなるショーケースにおいて、前記棚板は、固定棚と、この固定棚に対して前方に引き出し可能な可動棚とから構成され、前記棚板には、前記可動棚を前記固定棚に対して固定するロック機構が設けられ、前記ロック機構は、検出装置により作業者を検出した場合に、電気的にロックを解除する。
これによれば、検出装置により作業者が検出された場合に、電気的にロック機構のロックを解除するので、作業者は、力を入れることなく、容易に可動棚の引き出しを行うことができる。その結果、作業者の負担を低減させることができる。
【００１１】
第２の発明は、前記検出装置は、前記可動棚の前部下面の２箇所に配置され、前記各検出装置により同時に検出した場合にのみ、前記ロック機構のロックを解除する。
これによれば、各検出装置により同時に検出された場合にのみ、ロック機構のロックを解除するので、作業者以外の者が誤って検出装置で検出された場合でも、ロックの解除が行われてしまうことを防止することができる。
【００１２】
第３の発明は、前記各検出装置は、接触を検出するタッチセンサにより構成され、前記各検出装置により同時に作業者の接触を検出した場合にのみ、前記ロック機構のロックを解除する。
これによれば、２つの検出装置により同時に作業者の接触を検出した場合にのみ、ロックを解除するので、作業者は、検出装置に接触するだけで、容易にロック機構のロックを解除することができる。
【００１３】
第４の発明は、前記各検出装置は、前記可動棚の前部下面に配置された照明灯より下方で、前記照明灯に干渉しない位置に配置されている。
これによれば、照明灯による陳列室内の照明効果の維持と、可動棚の引き出しの負担の軽減とを両立することができる。
【００１４】
第５の発明は、前記各検出装置は、透明材料で構成されている。
これによれば、スペースの少ない可動棚の前部において、各検出装置の配置位置の制約が少なくなり、設計の自由度が向上する。
【００１５】
第６の発明は、前記ロック機構は、固定棚に設けられ前記検出装置により検出された場合に駆動されるソレノイドと、前記ソレノイドにより回動されるロックレバーと、可動棚に設けられ前記ロックレバーによりロックされるロック部材と、から構成されている。
これによれば、検出装置により作業者を検出した場合に、ソレノイドを駆動することにより、ロックレバーを回動させてロック部材のロックを解除することができる。
【００１６】
以下、本発明の実施の形態について、図面を参照して説明する。
図１は本発明に係るショーケースの実施形態を示す正面図である。図２は本実施形態のショーケースの側面断面図である。
本実施形態のショーケース１は、コンビニエンスストアやスーパーマーケットなどの店舗内に据え付けられるオープンショーケースである。
【００１７】
図１および図２に示すように、ショーケース１は、前面が開口し上面、背面および下面を覆う断面形状略コ字状の断熱壁１０と、据え付け現場において断熱壁１０の外面側に取り付けられる断熱性の側板１１とから構成されている。断熱壁１０の内側には、断熱壁１０に対して所定の間隙を有するように内側パネル１２が設けられている。
内側パネル１２の下端には、デッキパン２０が配置されており、内側パネル１２およびデッキパン２０の内側は、前面開口１３を有する陳列室１５とされている。
【００１８】
また、陳列室１５の内部には、陳列室１５の背面側に位置する内側パネル１２に設けられる図示しない支柱に着脱自在に取付けられる複数の棚板２１が設置されている。これら棚板２１およびデッキパン２０の上面に、商品が陳列される構成とされている。
また、棚板２１およびデッキパン２０は、前方に引き出し自在とされており、棚板２１およびデッキパン２０の上面に商品を補充する際には、陳列室１５の前面開口１３より前方に引き出して作業を行うことができるように構成されている。なお、デッキパン２０が前方に引き出される際には、デッキパン２０は陳列室１５の前面開口１３の下縁に対して所定の間隙をもって引き出される。
【００１９】
また、内側パネル１２の上部前端部分には、キャノピー２３が前面開口１３の全幅にわたって取り付けられており、キャノピー２３の内側には、陳列室１５の内部を照明する照明灯２４が取付けられている。
キャノピー２３の前側には、陳列室１５の内部温度を表示するための温度計や操作ボタンが設けられたパネル２５が取り付けられている。
【００２０】
また、内側パネル１２およびデッキパン２０と断熱壁１０との間の空間は、ダクト１６とされている。
また、キャノピー２３の後方には、ダクト１６に連通し、ダクト１６の内部の空気を陳列室１５に吹き出す吐出口２６が形成されている。また、デッキパン２０の前端部には、ダクト１６に連通する吸込口２７が形成されている。
また、デッキパン２０の下方には、冷却装置の蒸発器２８が収容されている。
【００２１】
そして、図示しない送風機を駆動することにより、蒸発器２８と熱交換した冷気がダクト１６の内部を上昇し、吐出口２６から前面開口１３に向けて吐出される。前面開口１３に吐出された冷気は、吸込口２７からダクト１６の内部に吸い込まれ、これにより、前面開口１３には冷気によるエアカーテンが形成されるとともに、この冷気のエアカーテンの一部が陳列室１５の内部に循環される。
なお、内側パネル１２には、図示しない冷気吹出口が形成されており、冷気のエアカーテンの一部とこれら冷気吹出口から吹き出される冷気によって陳列室１５の内部は所定温度に冷却される。
【００２２】
次に、本実施形態の棚板の構造について説明する。
図３は、棚板部分の底面図である。図４は、棚板部分の可動棚を収容した状態を示す側面図である。図５は、棚板部分の可動棚を引き出した状態を示す側面図である。
図３から図５に示すように、棚板２１は、内側パネル１２に取り付けられる一対の支持部材３０，３０を備えている。支持部材３０の後端部には、内側パネル１２に取り付けるためのフック３１が形成されている。各支持部材３０の間には、固定棚３２が設けられており、各支持部材３０の上部には、前後方向に延在するレール支持部材３３，３３が設けられている。レール支持部材３３の内側には、レール部材３４がレール支持部材３３に沿って前後方向に摺動自在に設けられている。
棚板２１は、可動棚３５を備えている。可動棚３５の両側には、レール受け部材３６，３６が設けられており、レール受け部材３６には、レール部材３４が挿入されている。
【００２３】
そして、図４に示すように、可動棚３５が収容された状態では、可動棚３５は、固定棚３２の上方に位置しており、レール部材３４は、レール支持部材３３の内部およびレール受け部材３６の内部に収容された状態に保持されている。
そして、可動棚３５を前方に引き出すことにより、レール支持部材３３からレール部材３４が引き出されるとともに、レール部材３４から可動棚３５のレール受け部材３６が引き出され、これにより、可動棚３５を、図５に示す位置まで引き出すことができる。
【００２４】
また、可動棚３５の先端部下面には、２つの検出装置４０，４０が配置されている。検出装置４０は、例えば、静電容量センサなどのタッチセンサにより構成されており、商品の補充作業を行う作業者（以下、単に作業者という）の手が接触することで、検出が行われる。なお、検出装置４０としては、タッチセンサに限定されるものではなく、作業者の手が近接したことを検出する光センサ、赤外線センサなどを用いることも可能である。
検出装置４０は、それぞれ所定の間隔をもって配置されており、各検出装置４０は、作業者の両手を伸ばした幅に対応する位置に配置することが好ましい。
棚板２１（可動棚３５）の先端下面には、照明灯４１が設けられている。検出装置４０は、照明灯４１より下方で、照明灯４１に干渉しない位置に配置されている。これによれば、照明灯４１による陳列室１５内の照明効果の維持と、可動棚３５の引き出しの負担の軽減とを両立することができる。干渉しない位置は、例えば、照明灯４１の照射範囲外の位置である。なお、例えば、検出装置４０を透明な樹脂などの透明材料で構成するようにすれば、検出装置４０が照明灯４１の照射範囲内に含まれても、照明灯４１による照明を検出装置４０が遮光してしまうことがないため、検出装置４０は照明灯４１に干渉しない。これによれば、検出装置４０を照明灯４１の照射範囲内に配置することもできるため、設計の自由度が向上する。
【００２５】
固定棚３２の下面中央部には、ロックレバー４２が回動自在に配置されている。ロックレバー４２の一端には、フック４３が形成されている。ロックレバー４２の近傍には、ソレノイド４４が配置されており、ロックレバー４２の他端には、ソレノイド４４のピン４５が連結されている。これにより、ソレノイド４４を駆動することにより、ロックレバー４２を回動動作させることができる。
また、可動棚３５の下面中央部には、ロック部材４６が突出形成されている。可動棚３５が固定棚３２の上方に収容された状態で、ロック部材４６にロックレバー４２のフック４３が係合されており、可動棚３５の移動を規制している。
本実施形態においては、ロックレバー４２、ロック部材４６およびソレノイド４４により、本発明のロック機構が構成される。
そして、ソレノイド４４を駆動して、ピン４５を介してロックレバー４２を回動させることにより、ロックレバー４２のフック４３とロック部材４６との係合が解除され、可動棚３５が引き出し可能となる。
【００２６】
ここで、本実施形態においては、詳細な制御回路については説明を省略するが、ソレノイド４４は、２つの検出装置４０による検出が同時に行われた場合に、駆動されるように制御される。すなわち、可動棚３５の先端下面に設けられた検出装置４０に、作業者の手が同時に接触した場合に、各検出装置４０による検出が行われ、ソレノイド４４が駆動されるものである。
この場合に、各検出装置４０を作業者が両手を伸ばした幅に対応する位置に配置することで、自然に手を伸ばした状態で、各検出装置４０への接触操作を行うことが可能となる。例えば、図３に示すように、各検出装置４０が、可動棚３５の両端ではなく中心側に配置され、作業者の肩幅程度（数１０ｃｍ程度）離れた位置に配置されていれば、作業者の各検出装置４０への接触操作がより容易になる。
また、２つの検出装置４０により同時に検出された場合にのみ、ソレノイド４４を動作させるようにしたのは、いずれか一方のみで検出した場合に、ソレノイド４４が動作してしまうと、例えば、買い物客など作業者以外の者が誤って検出装置４０に触れてしまった場合に、ロックの解除が行われてしまうおそれがあるためである。
【００２７】
次に、本実施形態の作用について説明する。
本実施形態のショーケースにおいては、送風機を駆動することにより、蒸発器２８と熱交換した冷気がダクト１６の内部を上昇し、吐出口２６から前面開口１３に向けて吐出される。前面開口１３に吐出された冷気は、吸込口２７からダクト１６の内部に吸い込まれ、これにより、前面開口１３には冷気によるエアカーテンが形成されるとともに、この冷気のエアカーテンの一部が陳列室１５の内部に循環される。
また、内側パネル１２の冷気吹出口からダクト１６の冷気が陳列室１５に吹き出され、これにより、陳列室１５の内部が所定温度に冷却される。
【００２８】
また、棚板２１を引き出す場合は、作業者の手が、可動棚３５の先端下面に設けられた検出装置４０に同時に接触することにより、各検出装置４０による検出が行われ、ソレノイド４４が駆動される。このソレノイド４４の駆動により、ピン４５を介してロックレバー４２が回動され、ロックレバー４２のフック４３とロック部材４６との係合が解除され、可動棚３５が引き出し可能となる。
このように本実施形態においては、作業者が各検出装置４０に接触するだけで、容易にロックレバー４２のフック４３とロック部材４６との係合を解除して、可動棚３５の引き出しを行うことができる。
【００２９】
以上述べたように、本実施形態においては、棚板２１は、固定棚３２と、固定棚３２に対して前方に引き出し可能な可動棚３５とから構成され、棚板２１には、可動棚３５を固定棚３２に対して固定するロック機構が設けられ、検出装置４０は、可動棚３５の前部下面の２箇所に配置され、各検出装置４０により同時に作業者が検出された場合にのみ、ロック機構のロックを解除する。
また、ロック機構は、固定棚３２に設けられ検出装置４０により検出された場合に駆動されるソレノイド４４と、ソレノイド４４により回動されるロックレバー４２と、可動棚３５に設けられロックレバー４２によりロックされるロック部材４６と、から構成されている。
【００３０】
これにより、各検出装置４０により同時に接触を検出された場合に、ソレノイド４４が駆動され、ロックレバー４２とロック部材４６との係合が解除され、可動棚３５が引き出し可能となる。このように、作業者が各検出装置４０に接触するだけで、容易にロックレバー４２とロック部材４６との係合を解除して、可動棚３５の引き出しを行うことができる。その結果、作業者は、力を入れることなく、容易に可動棚３５の引き出しを行うことができ、作業者の負担を低減させることができる。
【００３１】
なお、本発明は、前記実施形態に記載のものに限定されるものではなく、本発明の趣旨を逸脱しない範囲で種々変更および応用が可能である。
【産業上の利用可能性】
【００３２】
以上のように、本発明に係るショーケースは、検出装置により検出するだけで、ロック機構を解除することができ、作業者に負担を掛けることなく、容易に可動棚を引き出すことのできるショーケースとして好適に利用可能である。
【符号の説明】
【００３３】
１  ショーケース
１０  断熱壁
１１  側板
１２  内側パネル
１３  前面開口
１５  陳列室
２０  デッキパン
２１  棚板
２３  キャノピー
２５  パネル
３０  支持部材
３１  フック
３２  固定棚
３３  レール支持部材
３４  レール部材
３５  可動棚
３６  レール受け部材
４０  検出装置
４１  照明灯
４２  ロックレバー
４３  フック
４４  ソレノイド
４５  ピン
４６  ロック部材
【図１】
2019136275.tif 000003
【図２】
2019136275.tif 000004
【図３】
2019136275.tif 000005
【図４】
2019136275.tif 000006
【図５】
2019136275.tif 000007